(57)【要約】【課題】簡易な構造で、袋口を結束する閉じ紐を確実に固定できる閉じ紐固定具を提供すること、また、閉じ紐を貫通孔から抜け難くすることを目的とする。【解決手段】本発明に係る閉じ紐固定具１は、袋体１７の袋口１８を結束するための閉じ紐２を固定する閉じ紐固定具１であって、板状体１１からなり、閉じ紐２を貫通させる貫通孔１２と、板状体１１の側辺に設けられた挿入口１４から挿入された閉じ紐２を挟んで貫通孔１２に導くスリット１５が形成され、スリット１５の中心軸線２３が貫通孔１２の周縁２４と交わる角度が０度ないし６０度である。【選択図】図１
2017088232.tif 000002
【特許請求の範囲】
【請求項１】
袋体の袋口を結束するための閉じ紐を固定する閉じ紐固定具であって；
板状体からなり、前記閉じ紐を貫通させる貫通孔と、前記板状体の側辺に設けられた挿入口から挿入された前記閉じ紐を挟んで前記貫通孔に導くスリットが形成され、前記スリットの中心軸線が前記貫通孔の周縁と交わる角度が０度ないし６０度である；
閉じ紐固定具。
【請求項２】
前記貫通孔数が１、前記スリット数が１である；
請求項１に記載の閉じ紐固定具。
【請求項３】
前記板状体の側辺は、前記挿入口の近傍に内側に窪んだ窪み部を有し、前記貫通孔に対して前記挿入口に対向する部分に外側に膨らんだ第１の突状部を有し、さらに、前記板状体の側辺は、前記貫通孔に対して前記挿入口とは反対側の両端部で前記挿入口と反対側に突き出た第２の突状部を有する；
請求項１又は請求項２に記載の閉じ紐固定具。
【請求項４】
前記板状体には、前記貫通孔に対して前記挿入口とは反対側の側辺と前記貫通孔との間に、直線状の溝が形成され、前記溝を軸線として前記板状体をヒンジ状に折り曲げ可能である；
請求項１又は請求項２に記載の閉じ紐固定具。
【請求項５】
請求項１ないし請求項４のいずれか1項に記載の閉じ紐固定具と；
前記貫通孔に４本通した時に前記貫通孔に係止され、前記スリットに１本通した時に締め付けられながら通る太さの閉じ紐とで構成される；
閉じ紐固定セット。
【発明の詳細な説明】
【技術分野】
【０００１】
本発明は閉じ紐固定具に関する。詳しくは、袋体の袋口の結束を確実にするための閉じ紐固定具に関する。
【背景技術】
【０００２】
閉じ紐固定具に関して、発明者はフレキシブルコンテナバッグ用のロープ固定具を提案した（特許文献１参照）。このロープ固定具は、簡単な構成であるが、袋体の袋口を閉じる際に、袋体の結束を確実にすると共に、内容物の排出作業において袋口を結束した閉じロープの開放作業を容易にするものであった。
【０００３】
しかし、スリットに連結されているのは係止孔（孔の周縁でロープを締め付けてロープを係止する)であり、貫通孔（孔をロープが容易に通過できる）ではなかった。また、係止孔には１本又は２本のロープを１回通して係止したが、複数回通して係止するものではなかった。また、袋体としてフレキシブルコンテナバッグを対象としており、小型の袋体を対象としていなかった、したがって、まだ改善の余地が残されていた。
【先行技術文献】
【特許文献】
【０００４】
【特許文献１】特許第５７０５２８１号公報
【発明の概要】
【発明が解決しようとする課題】
【０００５】
本願は、簡易な構造（例えば１スリットと１貫通孔という従来より簡易な構造）で、袋口を結束する閉じ紐を確実に固定できる閉じ紐固定具を提供することを目的とする。また、閉じ紐を貫通孔から抜け難くすることを目的とする。
【課題を解決するための手段】
【０００６】
上記課題を解決するために、本発明の第１の態様に係る閉じ紐固定具１は、例えば図１及び図２に示すように、袋体１７の袋口１８を結束するための閉じ紐２を固定する閉じ紐固定具１であって、板状体１１からなり、閉じ紐２を貫通させる貫通孔１２と、板状体１１の側辺に設けられた挿入口１４から挿入された閉じ紐を挟んで貫通孔１２に導くスリット１５が形成され、スリット１５の中心軸線２３が貫通孔１２の周縁２４と交わる角度１６が０度ないし６０度である。
【０００７】
ここにおいて、貫通孔１２には、１本又は２本の閉じ紐２を１回だけ通すものに限られず、複数回通すものも含まれ、さらに、閉じ紐２を通した後に、孔の周縁で締め付けて係止させるものも含まれるものとする。また、スリット１５の中心軸線２３とは、スリット１５内において、両側の側縁までの距離が等しくなる点を繋いだ線をいう。また、交わる角度とは、中心軸線２３と周縁２４の一方又は両方が曲線のときは、それぞれの接線の交点における交わる角度をいう。また中心軸線２３の延長線も周縁２４と交わり得るが、ここで交点とは中心軸線２３自身と周縁２４との交点をいう。また、スリット１５の中心軸線２３が貫通孔１２の周縁２４と交わる角度１６が０度ないし６０度であるから、０度、すなわち、スリット１５の中心軸線が貫通孔１２の周方向の接線になるものも含まれる。貫通孔１２の周縁２４とスリット１５の交わる角度１６は、９０度に近づくと比較的外れやすくなり、０度に近づくと貫通孔１２の周縁２４部分で貫通孔１２とスリット１５に接する先端部分が欠けやすくなるので、３０〜５０度が好ましい。
【０００８】
このように構成すると、従来よりも簡易な構造で、袋口１８を結束する閉じ紐２を確実に固定できる。また、閉じ紐２は、スリット１５を板状体１１の平面に対して垂直方向に広げないとスリット１５を通らないので、貫通孔１２から抜け難い。
【０００９】
また、本発明の第２の態様に係る閉じ紐固定具１は、第１の態様において、例えば図１に示すように、貫通孔数が１、スリット数が１である。
【００１０】
このように構成すると、従来よりも貫通孔数又はスリット数が少ないので、より簡易な構造になる。
【００１１】
また、本発明の第３の態様に係る閉じ紐固定具１Ａは、第１又は第２の態様において、例えば図３に示すように、板状体１１Ａの側辺は挿入口１４の近傍に内側に窪んだ窪み部１３を有し、貫通孔１２に対して挿入口１４に対向する部分に外側に膨らんだ第１の突状部１９を有し、さらに、板状体１１の側辺は、貫通孔１２に対して挿入口１４とは反対側の両端部で挿入口１４と反対側に突き出た第２の突状部１９Ａを有する。
【００１２】
ここにおいて、本態様では、板状体１１Ａの側辺は、貫通孔１２に対して挿入口１４の側に窪み部１３を有し、貫通孔１２に対して挿入口１４とは反対側において、挿入口１４に対向する部分（典型的には中央）に第１の突状部１９を、両端に２つの第２の突状部１９Ａを有することとなる。
このように構成すると、閉じ紐固定具１Ａを把持し易く、また、閉じ紐２が第２の突状部１９Ａより外側にずれるのを防止できるので、閉じ紐２をより確実に固定できる。また板状体１１の平面部分の面積が増加するので、より袋体１７（図２参照）に平面で当接でき、袋体１７を傷つけない。
【００１３】
また、本発明の第４の態様に係る閉じ紐固定具１Ｂは、第１又は第２の態様において、例えば図４に示すように、板状体１１Ｂには、貫通孔１２に対して挿入口１４とは反対側の側辺と貫通孔１２との間に、直線状の溝２０が形成され、溝２０を軸線として板状体１１Ｂをヒンジ状に折り曲げ可能である。
【００１４】
このように構成すると、ヒンジを折り曲げることにより、板状体１１Ｂの平面と垂直方向の押圧力に対する板状体１１Ｂの耐性が増加するので、板状体１１Ｂを薄くできる。
【００１５】
また、本発明の第５の態様に係る閉じ紐固定セット３は、例えば図１に示すように、第１ないし第４のいずれかの態様の閉じ紐固定具１と、貫通孔１２に４本通した時に貫通孔１２に係止され、スリット１５に１本通した時に締め付けられながら通る太さの閉じ紐２とで構成される。
【００１６】
ここにおいて、本来１本に繋がっている閉じ紐２は、袋体１７の袋口１８を結束後に２本になって袋体１７の外側に延びる。典型的には、この２本の閉じ紐２がまず閉じ紐固定具１の貫通孔１２に通され、次いで袋口１８と閉じ紐固定具１の間の２本の閉じ紐２に巻き付けられた後に、再度貫通孔１２に通されて係止される。したがって、貫通孔１２には合計４本の閉じ紐２が通って係止されることとなる。このように４本通した時とは、本来１本に繋がっている閉じ紐２において４つの部分を通した場合を含むものとする。
このように構成すると、簡易な構造で、袋口１８を結束する閉じ紐２を確実に固定でき、又閉じ紐２を貫通孔１２から抜け難くできる閉じ紐固定具１と、当該閉じ紐固定具１に適切な閉じ紐２とを組み合わせた、閉じ紐固定セットを提供できる。
【発明の効果】
【００１７】
本発明によれば、簡易な構造で、袋口を結束する閉じ紐を確実に固定できる閉じ紐固定具を提供できる。また、閉じ紐が貫通孔から抜け難くなる。
【図面の簡単な説明】
【００１８】
【図１】実施例１における閉じ紐固定セット３（閉じ紐固定具１と閉じ紐２）の例を示す平面図である。
【図２】実施例１における閉じ紐固定セット３（閉じ紐固定具１と閉じ紐２）の使用状態の例を示す図である。
【図３】実施例２における閉じ紐固定具１Ａの例を示す平面図である。
【図４】実施例３における閉じ紐固定セット３Ｂ（閉じ紐固定具１Ｂと閉じ紐２）の例を示す平面図である。
【図５】実施例３における閉じ紐固定セット３Ｂ（閉じ紐固定具１Ｂと閉じ紐２）の使用状態の例を示す図である。
【図６】実施例４における閉じ紐固定具１Ｃの例を示す平面図である。
【図７】実施例５における閉じ紐固定具１Ｄの例を示す平面図である。
【発明を実施するための形態】
【００１９】
以下に図面に基づき本発明の実施の形態について説明する。尚、各図において、互いに同一又は相当する部分には同一符号を付し、重複した説明は省略する。
【実施例１】
【００２０】
図１に、実施例１における閉じ紐固定セット３（閉じ紐固定具１と閉じ紐２）の例の平面図を示す。図１の左側に閉じ紐固定具１の例の平面図、右側に閉じ紐２の例の平面図を示す。
閉じ紐固定具１は平板状の板状体１１である。平面図では、板状体１１は外郭が半円に近い形状（又は勾玉に近い形状）をしており、その中心に貫通孔１２を有する。板状体１１を半円と見なすと、その底辺は、外側に凸状の緩やかな曲線で縁取りされ、中央で内側に窪んだ窪み部１３を有する。板状体１１の窪み部１３の最奥は、貫通孔１２に閉じ紐２（図２参照）を挿入するための挿入口１４になっている。すなわち、板状体１１の側辺は挿入口１４の近傍に内側に窪んだ窪み部１３を有している。
【００２１】
また、板状体１１の外郭は窪み部１３の部分を除いて、外側に凸状の曲線（曲率半径＞０）で構成されている。すなわち、板状体１１の側辺は貫通孔１２に対して挿入口１４に対向する部分に外側に膨らんだ第１の突状部１９を有している。貫通孔１２と挿入口１４とはスリット１５で連結され、閉じ紐２は挿入口１４からスリット１５を介して貫通孔１２に挿入される。スリット１５の長さは短く、円形又は楕円形の貫通孔１２の平均径の半分以下である。貫通孔１２に閉じ紐２を何本か通すと、閉じ紐２が貫通孔１２の周縁で締め付けられて、閉じ紐２が貫通孔１２に係止される。ここで閉じ紐の本数を次の様に計数する。本来１本に繋がっている閉じ紐２は、袋体１７の袋口１８を結束後に２本になって袋体１７の外側に延びる。典型的には、この２本の閉じ紐２がまず閉じ紐固定具１の貫通孔１２に通され、次いで袋口１８と閉じ紐固定具１の間の２本の閉じ紐２に巻き付けられた後に、再度貫通孔１２に通されて係止される。したがって、貫通孔１２には合計４本の閉じ紐２が通って係止されることとなる。ここで、４本の閉じ紐とは、本来１本に繋がっている閉じ紐２において４つの部分を通した場合を含むものとする。また、スリット１５は閉じ紐２を挟んで通すので、スリット１５の幅は閉じ紐２の径より狭くなる。また、狭い方については、スリット１５は板状体１１に切れ目を入れただけの切れ目でも良い。
【００２２】
本実施例における閉じ紐固定具１は、１スリットと１貫通孔という従来よりも簡易な構造である。かかる簡易な構造でも、袋口を結束する閉じ紐を確実に固定できる閉じ紐固定具を提供できる。
また、閉じ紐２を、貫通孔１２に４本通した時に貫通孔１２に係止され、スリット１５に１本を締め付けられながら通せる太さの閉じ紐２とする。このように構成すると、閉じ紐固定具１に適切な閉じ紐となる。そして、かかる、閉じ紐固定具１と閉じ紐２を組み合わせると、簡易な構造で、袋口を結束する閉じ紐を確実に固定でき、又閉じ紐を貫通孔から抜け難くできる閉じ紐固定具１と、当該閉じ紐固定具１に適切な閉じ紐２とを組み合わせた、閉じ紐固定セット３を提供できる。
【００２３】
また、本実施例において、貫通孔１２の周縁２４とスリット１５の中央軸線２３（図１に破線で示す）と交わる角度１６は９０度（直交）の近くではなく、０〜６０度である。このようにすると、閉じ紐２を挿入口１４からスリット１５を通して貫通孔１２に挿入する時には入れ易い。しかし、貫通孔１２に挿入された閉じ紐２を貫通孔１２のいずれの半径方向に引っ張っても、その方向はスリット１５の中心軸線２３とずれるので、かつ、スリット１５の幅は閉じ紐２の径より狭いので、閉じ紐２は貫通孔１５から外れない。また、スリット１５の長さが非常に短いため（本実施例では貫通孔１２の平均半径より短いが、これに限らず、貫通孔１２の平均径以下であっても良い）、閉じ紐２を貫通孔１２に入れ易い。閉じ紐２を貫通孔１５から外すには、スリット１５を板状体１１と垂直方向に広げ、閉じ紐２をスリット１５に挟んでからスリット１５に沿って引っ張らないと外れない。したがって、閉じ紐２は貫通孔１２に入れ易いが、貫通孔１２から外れ難いという効果を奏する。貫通孔１２の周縁２４とスリット１５の中央軸線２３と交わる角度１６は、９０度に近づくと比較的外れやすくなり、０度に近づくと貫通孔１２の周縁２４部分で貫通孔１２とスリット１５に接する先端部分が欠けやすくなるので、３０〜５０度が好ましい。
【００２４】
板状体１１は半円に近い形状をしており、貫通孔１２以外の面積が広い（本実施例では貫通孔１２の４倍以上）。かかる形状を有するので、板状体１１の平面部分を袋体１７に当接できる。したがって、板状体１１が袋体１７の下側に位置しても、板状体１１の平面全体で袋体１７内部の重量を受けられるので、板状体１１は破損し難い。
【００２５】
本実施例では、このように、スリット１５を貫通孔１２に連結し、袋口１８を結束する閉じ紐２をスリット１５に通して貫通孔１２に導き、貫通孔１２で確実に固定できるようにした。かつ、スリット１５と貫通孔１２の接続部でスリット１５の中心軸線２３が貫通孔１２の周縁と交わる角度１６を小さくして、閉じ紐２が貫通孔１２から抜け難くした。
【００２６】
図２に、実施例１における閉じ紐固定セット３（閉じ紐固定具１と閉じ紐２）の使用状態を示す。すなわち、閉じ紐２を固定した状態を示す。閉じ紐２の繋がりを解り易くするために閉じ紐２の見えない部分を点線（貫通孔１２の挿入口１４側を通り抜ける部分）と一点鎖線（貫通孔１２の挿入口１４と反対側を通り抜ける部分）で示す。袋口１８から外側に延びる２本の閉じ紐２は、板状体１１の貫通孔１２を通過後に、袋口１８から延びる２本の閉じ紐２の袋口１８と板状体１１の間の部分に巻き付けられ、板状体１１の挿入口１４（窪み部１３の奥にある）からスリット１５を通して貫通孔１２に挿入され、貫通孔１２に係止される。２本の閉じ紐２をスリット１５に挿入する時には、板状体１１のスリット１５の両側の部分を板状体１１の平面と垂直方向に開いて挿入する。このようにして２本の閉じ紐２は袋口１８と板状体１１の間の部分に巻き付けられた後に貫通孔１２に係止される。また、貫通孔１２に４本挿入された時に係止されるような径の閉じ紐２が選ばれるので、閉じ紐固定具１は閉じ紐２をしっかり固定できる。
なお、図２では、袋口１８から外側に延びる２本の閉じ紐２を板状体１１の挿入口１４と反対側から回して、貫通孔１２に袋体１７と反対側から通過させた後に、袋口１８と板状体１１の間の部分に巻き付けているが、袋口１８から外側に延びる２本の閉じ紐２を、貫通孔１２に袋体１７の側から通過させた後に、板状体１１の挿入口１４と反対側から回して、袋口１８と板状体１１の間の部分に巻き付けても良い。また、図２では閉じ紐２を、閉じ紐２の袋口１８と板状体１１の間の部分に約１回巻いているが、複数回巻いても良い。
【００２７】
以上により、本実施例によれば、簡易な構造で、袋口を結束する閉じ紐を確実に固定できる閉じ紐固定具を提供できる。また、閉じ紐が貫通孔から抜け難くなる。
さらに、閉じ紐２を、貫通孔１２に４本通した時に貫通孔１２に係止され、スリット１５に１本を締め付けられながら通せる太さの閉じ紐２とする。このように構成すると、閉じ紐固定具１に適切な閉じ紐２となる。そして、かかる、閉じ紐固定具１と閉じ紐２を組み合わせると、簡易な構造で、袋口１８を結束する閉じ紐２を確実に固定でき、又閉じ紐２を貫通孔から抜け難くできる閉じ紐固定具１と、当該閉じ紐固定具１に適切な閉じ紐２とを組み合わせた、閉じ紐固定セット３を提供できる。
【実施例２】
【００２８】
図３に、実施例２における閉じ紐固定具１Ａの例の平面図を示す。閉じ紐２は図１と同様なので省略した。
実施例１の閉じ紐固定具１の板状体１１Ａにおいて、貫通孔１２から遠端に位置する部分（２箇所）において、貫通孔１２と反対側に突き出た２つの第２の突状部１９Ａが追加されている。すなわち、板状体１１Ａの側辺は、貫通孔１２に対して挿入口１４の側に窪み部１３を有し、貫通孔１２に対して挿入口１４とは反対側において、挿入口１４に対向する部分（典型的には中央）に第１の突状部１９を、両端に２つの第２の突状部１９Ａを有する。第２の突状部１９Ａの追加により、板状体１１Ａの平板状部分の面積が増加するので、板状体１１は袋体１７に当接した位置で回転し難くなる。それ故に、閉じ紐固定具１Ａは袋体１７に対して縁部で直立して当接することを避けられ、袋体１７に傷がつきにくい。また、袋体１７に直立して当接し、その状態で押しつぶされるリスクを回避できる。さらに、閉じ紐固定具１Ａを把持し易く、また、閉じ紐２が第２の突状部１９Ａより外側にずれるのを防止できるので、閉じ紐２をより確実に固定できる。
【００２９】
その他の構成は実施例１と同様であり、実施例１と同様に、簡易な構造で、袋口を結束する閉じ紐を確実に固定できる閉じ紐固定具を提供できる。また、閉じ紐が貫通孔から抜け難くなる。
また、実施例１と同様に、閉じ紐２を、貫通孔１２に４本通した時に貫通孔１２に係止され、スリット１５に１本を締め付けられながら通せる太さの閉じ紐２とする。このように構成すると、閉じ紐固定具１Ａに適切な閉じ紐２となる。そして、かかる、閉じ紐固定具１Ａと閉じ紐２を組み合わせると、簡易な構造で、袋口を結束する閉じ紐を確実に固定でき、又閉じ紐を貫通孔から抜け難くできる閉じ紐固定具と、当該閉じ紐固定具に適切な閉じ紐とを組み合わせた、閉じ紐固定セットを提供できる。
【実施例３】
【００３０】
図４に、実施例３における閉じ紐固定セット３Ｂ（閉じ紐固定具１Ｂと閉じ紐２）の例の平面図を示す。図１の左側に閉じ紐固定具１Ｂの例の平面図、右側に閉じ紐２の例の平面図を示す。
本実施例では閉じ紐固定具１Ｂがヒンジを有する構成について説明する。実施例２の閉じ紐固定具１Ａの板状体１１Ｂにおいて、２つの第２の突状部１９Ａの間に、第２の突状部１９Ａが突き出た側に平板状の折曲部１１Ｂ２が設けられている。そして、貫通孔１２に対して挿入口１４とは反対側の側辺と貫通孔１２との間に直線状の溝２０が設けられている。この溝２０を軸線として板状体１１の折曲部１１Ｂ２は板状体本体部１１Ｂ１（板状体１１Ｂの折曲部１１Ｂ２を除いた部分）に対してヒンジ状に折れ曲げ可能である。なお、説明の便宜のため、図４では折曲部１１Ｂ２は図の裏側に折れ曲がるが、図５では折曲部１１Ｂ２は図の手前側に折れ曲がるように描いている。ともかく、どちらか一方に折れ曲がるようになっている。
板状体１１Ｂを溝２０で折り曲げることにより、平板状の部分の実質的な厚みを稼ぎ、板状体１１Ｂを溝２０の長手方向に曲がりにくくしている。このため、板状体１１Ｂを薄くできる。また、板状体１１Ｂの反り易い方向に平行に直線状の溝２０を設けて補強し、曲がりにくくする。また、溝２０の長さを所定の距離以上（例えば貫通孔の長径の２倍以上）のときは、溝２０の長手方向への曲がりにくさを補強する必要性が高い。また、板状体１１Ｂを溝から折り返した時に、折曲部１１Ｂ２が貫通孔１２と重ならないように設計することが、補強効果を減少させないために、好ましい。
【００３１】
図５に、本実施例における閉じ紐固定セット３Ｂ（閉じ紐固定具１Ｂと閉じ紐２）の使用状態の例を示す。すなわち、閉じ紐２を固定した状態を示す。閉じ紐２の繋がりを解り易くするために閉じ紐２の見えない部分を一部点線（貫通孔１２の挿入口１４側を通り抜ける部分）と一点鎖線（貫通孔１２の挿入口１４と反対側を通り抜ける部分）で示す。袋口１８から外側に延びる２本の閉じ紐２は、溝２０でヒンジ状に屈折させた板状体１１の折曲部１１Ｂ２の外側を通って貫通孔１２に挿入される。貫通孔１２を通過後に、袋口１８から延びる２本の閉じ紐２の袋口１８と板状体１１の間の部分に巻き付けられ、板状体１１の挿入口１４（窪み部１３の奥にある）からスリット１５を通して貫通孔１２に挿入され、貫通孔１２に係止される。２本の閉じ紐２をスリット１５に挿入する時には、板状体１１のスリット１５の両側の部分を板状体１１Ｂの平面と垂直方向に開いて挿入する。閉じ紐２をヒンジ状に折り曲げた折曲部１１Ｂ２を板状体本体部１１Ｂ１と重ねて巻き付けるので、板状体１１Ｂは板状体本体部１１Ｂ１と折曲部１１Ｂ２とが重なる部分で実質的に２倍の厚さになり、板状体１１Ｂを平板に垂直方向の押圧力に対する耐力を増加させている。このため、板状体１１Ｂを薄くできる。また、板状１１Ｂには平板状の部分で袋体１７に当接しやすい。
なお、図５では、袋口１８から外側に延びる２本の閉じ紐２を板状体１１Ｂの挿入口１４と反対側から回して（このとき、板状体本体部１１Ｂ１と折曲部１１Ｂ２とを重ねて巻き付け）、貫通孔１２に袋体１７と反対側から通過させた後に、袋口１８と板状体１１Ｂの間の部分に巻き付けているが、袋口１８から外側に延びる２本の閉じ紐２を、貫通孔１２に袋体１７の側から通過させた後に、板状体１１Ｂの挿入口１４と反対側から回して（このとき、板状体本体部１１Ｂ１と折曲部１１Ｂ２とを重ねて巻き付け）、袋口１８と板状体１１Ｂの間の部分に巻き付けても良い。また、図２では閉じ紐２を、閉じ紐２の袋口１８と板状体１１Ｂの間の部分に約１回巻いているが、複数回巻いても良い。
【００３２】
その他の構成は実施例２と同様であり、実施例２と同様に、簡易な構造で、袋口１８を結束する閉じ紐を確実に固定できる閉じ紐固定具を提供できる。また、閉じ紐が貫通孔から抜け難くなる。
さらに、閉じ紐２を、貫通孔１２に４本通した時に貫通孔１２に係止され、スリット１５に１本を締め付けられながら通せる太さの閉じ紐２とする。このように構成すると、閉じ紐固定具１Ｂに適切な閉じ紐２となる。そして、かかる、閉じ紐固定具１Ｂと閉じ紐２を組み合わせると、簡易な構造で、袋口１８を結束する閉じ紐２を確実に固定でき、又閉じ紐２を貫通孔１２から抜け難くできる閉じ紐固定具１Ｂと、当該閉じ紐固定具１Ｂに適切な閉じ紐２とを組み合わせた、閉じ紐固定セット３Ｂを提供できる。
【実施例４】
【００３３】
図６に実施例４における閉じ紐固定具１Ｃの例の平面図を示す。閉じ紐２は図１と同様なので省略した。本実施例では貫通孔１２が２以上の例を示す。
実施例１の紐固定具１の板状体１１において、板状体１１を中心から比較的遠方に位置する部分において、新たな貫通孔２１が設けられている。かかる紐固定具１Ｃの構成では、複数の貫通孔１２及び２１を使用して閉じ紐２を巻き付けることができるので、閉じ紐固定具１Ｃは実施例１に比してよりしっかり閉じ紐２を固定できる。
本実施例において、スリット１５に連なる貫通孔１２の機能は実施例１〜３と同様に、１本又は２本の閉じ紐２を貫通させ、さらに係止するものである。スリット１５に連ならない貫通孔２１の機能は１本又は２本の閉じ紐２を貫通させ、閉じ紐２を板状体１１に巻き付けて固定し易くするために使用するものである。
【００３４】
その他の構成は実施例１と同様であり、実施例１と同様に、簡易な構造で、袋口を結束する閉じ紐を確実に固定できる閉じ紐固定具を提供できる。また、閉じ紐が貫通孔から抜け難くなる。
また、実施例１と同様に、閉じ紐２を、貫通孔１２に４本通した時に貫通孔１２に係止され、スリット１５に１本を締め付けられながら通せる太さの閉じ紐２とする。このように構成すると、閉じ紐固定具１Ｃに適切な閉じ紐となる。そして、かかる、閉じ紐固定具１Ｃと閉じ紐２を組み合わせると、簡易な構造で、袋口を結束する閉じ紐を確実に固定でき、又閉じ紐を貫通孔から抜け難くできる閉じ紐固定具と、当該閉じ紐固定具に適切な閉じ紐とを組み合わせた、閉じ紐固定セットを提供できる。
【実施例５】
【００３５】
図７に、実施例５における閉じ紐固定具１Ｄの例の平面図を示す。
本実施例では、挿入口１４Ｄからスリット１５Ｄを介して閉じ紐２が挿入される貫通孔１２Ｄが板状体１１Ｄの中心近くからずれた位置にある例を示す。本実施例においても、スリット１５Ｄに連なる貫通孔１２Ｄの機能及びスリット１５Ｄに連ならない貫通孔２２の機能は、実施例４と同様である。なお、図７において、１３Ｄは窪み部である。
【００３６】
このように、貫通孔１２Ｄが板状体１１Ｄの中心近くからずれた位置にある場合でも、実施例４と同様に、簡易な構造で、袋口を結束する閉じ紐を確実に固定できる閉じ紐固定具を提供できる。また、閉じ紐が貫通孔から抜け難くなる。
また、実施例４と同様に、閉じ紐２を、貫通孔１２Ｄに４本通した時に貫通孔１２Ｄに係止され、スリット１５Ｄに１本を締め付けられながら通せる太さの閉じ紐２とする。このように構成すると、閉じ紐固定具１Ｄに適切な閉じ紐となる。そして、かかる、閉じ紐固定具１Ｄと閉じ紐２を組み合わせると、簡易な構造で、袋口を結束する閉じ紐を確実に固定でき、又閉じ紐を貫通孔から抜け難くできる閉じ紐固定具と、当該閉じ紐固定具に適切な閉じ紐とを組み合わせた、閉じ紐固定セットを提供できる。
【００３７】
以上、本実施の形態について説明したが、本発明は以上の実施の形態に限られるものではなく、本発明の趣旨を逸脱しない範囲で、実施の形態に種々の変更を加えられることは明白である。
【００３８】
例えば、以上の実施例では、主として貫通孔１２が板状体１１の中心近くに位置する例について説明したが、閉じ紐２を挿入し易く、袋体１７に平面で当接でき、袋体１７に対して回転し難い構成であれば、他の位置でも良い。また、以上の実施例では、貫通孔１２の挿入口１４が窪み部１３の奥にある例について説明したが、閉じ紐２を挿入し易ければ、窪み部１３がなくても良い。また、以上の実施例では、スリット１５の長さが非常に短い例について説明したが、閉じ紐２を挿入し易ければ、長くても良い。また、以上の実施例では、スリット１５の軸線２３が曲線状である例について説明したが、閉じ紐２を挿入し易ければ、直線状であっても良い。その他、貫通孔の寸法は、貫通させる閉じ紐２の太さと何度閉じ紐２を通すかに応じて適宜選択でき、貫通孔の数、位置等も適宜選択可能である。
【産業上の利用可能性】
【００３９】
本発明は、袋口結束用閉じ紐を固定する閉じ紐固定具に利用される。
【符号の説明】
【００４０】
１，１Ａ〜１Ｄ  閉じ紐固定具
２  閉じ紐
３，３Ｂ  閉じ紐固定セット
１１，１１Ａ〜１１Ｄ  板状体
１１Ｂ１  板状体本体
１１Ｂ２  折曲部
１２，１２Ｄ  貫通孔
１３，１３Ｄ  窪み部
１４，１４Ｄ  挿入口
１５，１５Ｄ  スリット
１６  貫通孔の周縁がスリットの中央軸線と交わる角度
１７  袋体
１８  袋口
１９  第１の突状部
１９Ａ  第２の突状部
２０  溝
２１，２２  貫通孔
２３  スリットの中心軸線
２４  貫通孔の周縁
【図１】
2017088232.tif 000003
【図２】
2017088232.tif 000004
【図３】
2017088232.tif 000005
【図４】
2017088232.tif 000006
【図５】
2017088232.tif 000007
【図６】
2017088232.tif 000008
【図７】
2017088232.tif 000009